(57)【特許請求の範囲】
【請求項１】
パッケージのまわりに張るループ状の鋼帯を装着して該鋼帯のオーバーラップ端部に打抜かれた噛合い可能な肩を有する一連の噛合い継手によって該鋼帯を結合する結束工具において、長手方向へ延びるベースと、該ベースから直立するフレームとを有する固定構造と、前記オーバーラップ端部を前記工具内に入れて該オーバーラップ端部を保持して該オーバーラップ端部を該工具から解放する保持・解放機構とを備え、該保持・解放機構が、フック付き端部を持つラッチを有し、該ラッチが、該ラッチと前記ベースとの間及び該フック付き端部と前記フレームとの間に該オーバーラップ端部を保持する様に設置される閉鎖位置と該オーバーラップ端部を前記工具内に入れて該オーバーラップ端部を該工具から解放する様に該閉鎖位置から角度的に変位される開放位置との間を旋回可能である様に該ベースへ旋回可能に装着され、該ラッチが、該閉鎖位置へ付勢され、前記保持・解放機構が、該閉鎖位置から前記開放位置へ該ラッチを移動する移動装置を有し、該移動装置が、前記ラッチの閉鎖位置に相当する捕捉位置と該ラッチの開放位置に相当する解放位置との間を軸線のまわりに旋回可能である様に前記フレームへ旋回可能に装着されたレバーを有し、該捕捉位置から該解放位置への該レバーの旋回が該閉鎖位置から該開放位置への該ラッチの旋回を生じる様な態様で、該レバーが、該ラッチへ結合され、該レバーが、該ラッチを閉鎖位置へ付勢する様に該捕捉位置へ付勢されている結束工具。
【請求項２】
請求項１に記載の結束工具において、旋回運動の前方限界と後方限界との間の領域にわたって旋回可能な様に前記フレームへ旋回可能に装着されたハンドルを更に備え、片手を使用する使用者が次に該ハンドル及び前記レバーを掴んで該ハンドルに向かって該レバーを締付けることによって前記捕捉位置から前記解放位置へ該レバーを旋回できる様に、該ハンドルが該領域の後方限界に設置されるときに、該ハンドルが、該レバーに近く設置される結束工具。
【請求項３】
請求項２に記載の結束工具において、前記保持・解放機構が、前記レバーの捕捉位置及び前記ラッチの閉鎖位置に相当する前進位置と該レバーの解放位置及び該ラッチの開放位置に相当する後退位置との間を長手方向へ可動な様に前記フレームへ可動に装着されるカム用部材を更に有し、該捕捉位置から該解放位置への該レバーの旋回が該前進位置から該後退位置への該カム用部材の長手方向の運動を生じる様な態様で、該レバーが、該カム用部材へ結合され、該カム用部材が、該レバーを捕捉位置へ付勢する様に前進位置へ付勢され、該カム用部材が、前進位置から後退位置への該カム用部材の長手方向の運動の際に閉鎖位置から開放位置へ前記ラッチを旋回する様に、又、後退位置から前進位置への該カム用部材の長手方向の運動の際に開放位置から閉鎖位置へ該ラッチを旋回する様に、該ラッチと協働するカムスロットを有する結束工具。
【請求項４】
請求項３に記載の結束工具において、前記レバーがそのまわりに旋回可能である軸線が、横軸線であり、前記保持・解放機構が、該横軸線から間隔を設けられて、該横軸線のまわりに該レバーを旋回する際に該横軸線のまわりに移動する様に配置された横部材を更に有し、捕捉位置から解放位置への該レバーの旋回の際に前進位置から後退位置へ前記カム用部材を該横部材が移動する様な態様で、該カム用部材が、該横部材と協働する他のカム面を有する結束工具。
【発明の詳細な説明】
【０００１】
【産業上の利用分野】
本発明は、パッケージのまわりに張るループ状の鋼帯を装着して鋼帯のオーバーラップ端部に打抜いた噛合い可能な肩を有する一連の噛合い継手によって鋼帯を結合する結束工具に関する。本発明は、鋼帯のオーバーラップ端部を挿通、保持して解放する新規な保持・開放機構を提供する。
【０００２】
【従来の技術】
上述の型式の結束工具では、手で揺動する様に配置した作動ハンドルを有する。該ハンドルは、該ハンドルが結合されている入力軸と、中間歯車とを介して一連のカムを作動する出力軸を回転する。該カムは、鋼帯のオーバーラップ端部に噛合い可能な肩を打抜く一連のパンチを駆動する。米国特許第４，８２５，５１２号（特開平１−２７９０６６号）は、該一連の噛合い継手を有する該鋼帯の最近の例を示す。
上述の型式の結束工具は、米国特許第５，１３６，８８８号（特開平５−２０３０１３号）に開示されている様な入力軸の揺動回転を出力軸の一方向性回転に変換する変換機構を組込んでもよい。
【０００３】
【発明が解決しようとする課題】
従来の結束工具を使い勝手よく改良する。特に鋼帯のオーバーラップ端部の保持・解放を片手で簡単にできる様にした結束工具を提供する。
【０００４】
【課題を解決するための手段】
結束工具に、鋼帯のオーバーラップ端部の保持・解放機構として長手方向へ延びるベース及び該ベースから直立するフレームを含む固定構造と、オーバーラップ端部を工具内に入れてオーバーラップ端部を保持してオーバーラップ端部を該工具から解放する保持・解放機構とを備える。該保持・解放機構がラッチを有し、該ラッチは、ラッチとベースとの間及びフック付き端部とフレームとの間にオーバーラップ端部を保持する様に設置される閉鎖位置と工具内にオーバーラップ端部を入れてオーバーラップ端部を工具から解放する様にラッチが閉鎖位置から変位する開放位置との間を旋回可能である様に、ベースに旋回可能に装着される。該保持・解放機構は、更に閉鎖位置から開放位置へラッチを移動する移動装置を備えている。
【０００６】
該移動装置は、捕捉位置と解放位置との間を軸線のまわりに旋回可能な様にフレームへ旋回可能に装着されたレバーを備えている。該捕捉位置は、ラッチの閉鎖位置に相当し、該解放位置は、ラッチの開放位置に相当する。該レバーは、捕捉位置から解放位置へのレバーの旋回が閉鎖位置から開放位置へのラッチの旋回を生じる様な態様でラッチへ結合されている。該レバーは、閉鎖位置へラッチを付勢する様に捕捉位置へ付勢されている。
【０００７】
通常、上述の型式の結束工具は、旋回運動の領域の前方限界と後方限界との間にわたって旋回可能な様にフレームへ旋回可能に装着された作動ハンドルを備えている。作動ハンドルを後方限界の領域に設置する際に片手を使用する使用者が次に作動ハンドル及びレバーを掴んで、作動ハンドルに向ってレバーを締付けることにより、捕捉位置から解放位置へレバーを旋回できる様に、レバーに近く有利に該ハンドルを設置してもよい。
【０００８】
好ましくは、該保持・解放機構は、前進位置と後退位置との間を長手方向へ可動な様にフレームへ可動に装着されるカム用部材を更に備えている。該前進位置は、レバーの捕捉位置と、ラッチの閉鎖位置とに相当する。該後退位置は、レバーの解放位置と、ラッチの開放位置とに相当する。該レバーは、捕捉位置から解放位置へのレバーの旋回が前進位置から後退位置へのカム用部材の長手方向の運動を生じる様な態様でカム用部材へ結合されている。該カム用部材は、捕捉位置へレバーを付勢する様に、前進位置へ付勢されている。該カム用部材は、前進位置から後退位置へのカム用部材の長手方向の運動の際に閉鎖位置から開放位置へラッチを旋回する様に、又、後退位置から前進位置へのカム用部材の長手方向の運動の際に開放位置から閉鎖位置へラッチを旋回する様に、ラッチと協働するカム用スロットを有している。
【０００９】
好ましくは、レバーがそのまわりに旋回可能である軸線は、横軸線であり、該保持・解放機構は、該横軸線から間隔を設けられて、レバーが該横軸線のまわりに旋回される際に該横軸線のまわりに可動な横部材を更に備えている。更に好ましくは、該カム用部材は、横部材が貫通して延びる孔を限定する端部を有し、該端部は、捕捉位置から解放位置へのレバーの旋回の際に横部材が前進位置から後退位置へカム用部材を移動する様な態様で横部材と協働する。
【００１０】
本発明のこれ等及びその他の目的、特徴及び利点は、添付図面を参照する本発明の好適実施例の次の説明によって明らかである。
【００１１】
【実施例】
図面、特に図１，２，３に示す様に、上述の型式の結束工具１０は、本発明の好適実施例を構成する。該結束工具１０は、パッケージ１４のまわりにループ状に張った鋼帯１２を装着して、鋼帯１２のオーバーラップ端部に打抜かれた噛合い可能な肩１８を有する一連の噛合い継手１６（図５）によって鋼帯１２を結合するのに使用される。図４，５に示す様に、結束工具１０は、オーバーラップ端部を工具１０内に入れて、一連の噛合い可能な肩１８をオーバーラップ端部に容易に打抜ける様にオーバーラップ端部を保持して、オーバーラップ端部を工具１０から解放する保持・解放機構２０を含む。
【００１２】
鋼帯１２のオーバーラップ端部が保持・解放機構２０によって保持される際、次に、一連の噛合い可能な肩１８は、一連のパンチ２４（図３）を駆動する様に配置された一連のカム２２によってオーバーラップ端部に打抜きできる。カム２２及びパンチ２４は、上述の型式の周知の結束工具に使用するカム及びパンチとほゞ同様でもよい。
【００１３】
カム２２は、出力軸３４と一緒にカム２２が回転できる様に入力軸３２（図３）の揺動回転をカム２２を装着する出力軸３４の一方向性回転に変換する変換機構３０（図３）によって駆動される。変換機構３０は、本特許出願と米国への同日出願の１９９３年１０月８日付特許出願第０８／１３３，２８４号に開示した変換機構とほゞ同様でもよい。代りに、変換機構３０は、米国特許第５，１３６，８８８号に開示されている変換機構とほゞ同様でもよい。
【００１４】
作動ハンドル４０（図１）は、同一の軸線のまわりに作動ハンドル４０が旋回される際に入力軸３２（図３）がその軸線のまわりに回転される様に入力軸３２へ固定される。作動ハンドル４０は、変換機構３０（図３）によって制限される様に前方限界と後方限界との間の旋回運動の領域にわたって手で旋回可能である。図２では、作動ハンドル４０は、その前方限界において鎖線で示し、その後方限界において実線で示す。
【００１５】
結束工具１０は、鋼帯１２のオーバーラップ端部に張力を加える張力付加機構５０（図１）を備えている。ここに図示説明するのを除いて、張力付加機構５０は、上述の型式の周知の結束工具に使用する張力付加機構とほゞ同様でもよい。
【００１６】
張力付加機構５０は、張力付加ハンドル５４がローレット付きホイール５６及びラチェット歯車５８と共に同一の軸線のまわりに旋回される際に横軸５２（図３，４）がその軸線のまわりに回転される様に、張力付加ハンドル５４が固定される横軸５２を備えている。図１に示す様にローレット付きホイール５６と、ラチェット歯車５８とは、一緒に回転可能な様に相互に結合され、ラチェット歯車５８と横軸５２との間に間挿されるクラッチ（図示せず）を介して横軸５２へ装着され、爪（図示せず）は、張力付加ハンドル５４が同一の方向へ旋回される際に１つの回転方向（図面において反時計方向）においてのみローレット付きホイール５６及びラチェット歯車５８が横軸５２と共に回転できる様に、又、張力付加ハンドル５４が図面に於て時計方向へ旋回される際にローレット付きホイール５６及びラチェット歯車５８が回転しない様に、ラチェット歯車５８と協働する。横軸５２は、後で説明する様な態様で２つの旋回可能なリンク、即ち、リンク６０，６２に支承される。上述の爪は、リンク６２に作用可能に装着されている。
【００１７】
図３に示す如く結束工具１０は、一対の長手方向に間隔を設けた同様な凹所、即ち、前方凹所７０と、後方凹所７２とを有する長手方向に延びたベース６８を含む固定構造を備えている。ベース６８は、ローレット付きパッド７４を装着する。該固定構造は、種々の部品から組立てられファスナ（図示せず）によってベース６８へ固定的に装着されベース６８から直立するフレーム７６と、ファスナ（図示せず）によってフレーム７６へ固定される２つの側部カバー７８とを更に備えている。出力軸３４は、フレーム７６に支承されている。レバー８０は、レバー８０のフランジ付き端部８６がファスナ８２によってリンク６０へ装着され、２本のファスナ８４（図４）によってリンク６２へ装着される。リンク６０，６２は、リンク６０，６２及びレバー８０の常態の位置とそれ等の変位した位置との間の旋回運動の領域にわたりレバー８０と共に旋回可能に可動である様に枢軸ピン８８（図１）によってフレーム７６へ旋回可能に装着されている。枢軸ピン８８は、横軸線を限定する。リンク６０，６２及びレバー８０は、図２，３に常態位置で示し、図１に変位した位置で示す。
【００１８】
リンク６０，６２及びレバー８０は、後で説明する様な態様で常態位置へ付勢されている。リンク６０，６２及びレバー８０が常態位置に設置されるとき、鋼帯１２（図１）のオーバーラップ端部は、ローレット付きホイール５６とローレット付きパッド７４（図３）との間に挟まれる。従って、ローレット付きホイール５６は、オーバーラップ端部の上側のものに当接し、一方、オーバーラップ端部の下側のものは、ローレット付きパッド７４に当接する。張力付加ハンドル５４が揺動される際、ローレット付きホイール５６は、該ホイール５６のローレット付き面に当接する鋼帯端部を引張り、鋼帯１２の他の端部は、該他の端部が滑るのを防止するローレット付きパッド７４に当接し、これにより、鋼帯１２は、張力を加えられる。
【００１９】
鋼帯１２に張力を加える張力付加機構５０の一層の構造上及び機能上の詳細は、本発明の範囲外である。ここに開示するのを除いて、張力付加機構５０は、上述の型式の周知の結束工具に使用する張力付加機構とほゞ同様でもよい。
【００２０】
図４，５，６に示す様に、オーバーラップ端部を工具１０内に入れて、一連の噛合い可能な肩１８をオーバーラップ端部に容易に打抜ける様にオーバーラップ端部を保持して、オーバーラップ端部を工具１０から解放する保持・解放機構２０は、一対の長手方向に間隔を設けた同様なラッチ、即ち、フック付き端部１０２及びカム用端部１０４を有する前方ラッチ１００と、フック付き端部１０８及びカム用端部１１０を有する後方ラッチ１０６とを備えている。各ラッチは、ファスナ１１４（図４）によってベース６８（図５）へ固定される枢軸ブラケット１１２（図４）と、枢軸ピン１１６によって限定される長手方向軸線のまわりに旋回可能に可動な様に枢軸ブラケット１１２の孔及び該ラッチの孔を貫通して延びる枢軸ピン１１６とによってベース６８へ旋回可能に装着されている。
【００２１】
保持・解放機構２０は、前進位置と後退位置との間を長手方向へ可動な様にフレーム７６へ可動に装着されている細長いブレード状部材であるカム用部材１２０を更に備えている。カム用部材１２０の前進位置は、レバー８０の捕捉位置及びラッチ１００，１０６の閉鎖位置に相当し、後退位置は、レバー８０の解放位置及びラッチ１００，１０６の開放位置に相当する。カム用部材１２０は、２つのカム用スロット、即ち、前方ラッチ１００のカム用端部１０４を収容する前方スロット１２２と、後方ラッチ１０６のカム用端部１１０を収容する後方スロット１２４とを有している。カム用スロット１２２，１２４の各々は、図６に示す様に横軸５２（図５）へ向って延びる水平部分と、反対方向へ延びる傾斜部分とを有している。図６に示す様に、前方スロット１２２は、両端において閉じられ、一方、後方スロット１２４（図４）は、一端において開放されている。カム用スロット１２２，１２４は、前進位置から後退位置へのカム用部材１２０の長手方向の運動の際に閉鎖位置から開放位置へラッチ１００，１０６を旋回する様にラッチ１００，１０６のカム用端部１０４，１１０と協働する。
【００２２】
上述の様に、横軸５２（図１）は、リンク６０，６２を装着する枢軸ピン８８によって限定される横軸線から間隔を設けてある。カム用部材１２０（図５）は、その後端１２６に近くほゞＵ形のポケット１３２を限定する端部１３０を有し、該ポケット１３２は、上方へ開口し、軸５２は、該ポケットを通って延びる。軸５２は、それがポケット１３２を貫通する個所に円形断面を有し、これは、軸５２と、ポケット１３２との相対的な回転を可能にする。カム用部材１２０の端部１３０は、捕捉位置から解放位置へのレバー８０の旋回の際、軸５２が前進位置から後退位置へ長手方向にカム用部材１２０を移動する様な態様において軸５２と協働する。
【００２３】
カム用部材１２０は、横軸５２を介して常態位置に向ってリンク６０，６２を付勢する様に、又、リンク６０，６２を介して捕捉位置へレバー８０を付勢する様に、前進位置に向って付勢されている。フレーム７６の部分１３６（図５）の狭いスロット１３４を貫通して延びるカム用部材１２０は、長手方向スロット１４０を有し、スロットはその前端及び後端において閉鎖され、その後端における比較的短いタブ１４２と、その前端における比較的長いタブ１４４とを限定している。長手方向スロット１４０内に配置されたコイルばね１５０は、ばね１５０の後端においてタブ１４２上に案内され、カム用部材１２０を付勢する様にばね１５０の前端においてフレーム７６の部分１３６に当接する。カム用部材１２０が図５で見て左上方に充分に推進される際、長いタブ１４４は、ばね１５０の前端からばねの奥に進入する。
【００２４】
レバー８０が捕捉位置（図２）から解放位置（図１）へ手で旋回されるとき、リンク６０，６２は、カム用部材１２０を前進位置から後退位置へ長手方向に移動する様に常態位置から変位位置へ旋回され、これにより、ラッチ１００，１０６のカム用端部１０４，１１０は、図６に実線で示すカム用端部１０４によってカム用スロット１２２，１２４の傾斜部分と協働する。従って、ラッチ１００，１０６は、捕捉位置から解放位置へ旋回される。
【００２５】
レバー８０が解放されるとき、コイルばね１５０は、カム用部材１２０を後退位置から前進位置へ長手方向に移動する傾向があり、これにより、ラッチ１００，１０６のカム用端部１０４，１１０は、図６に破線で示すカム用端部１０４によってカム用スロット１２２，１２４の水平部分と協働する。従って、リンク６０，６２は、変位位置から常態位置へレバー８０を旋回する様に、又、解放位置から捕捉位置へラッチ１００，１０６を旋回する様に、変位位置から常態位置へ旋回される。
【００２６】
ラッチ１００，１０６が捕捉位置へ旋回されるとき、前方ラッチ１００のフック付き端部１０２は、前方凹所７０内に延び、後方ラッチ１０６のフック付き端部１０８は後方凹所７２内に延び、これにより、ラッチ１００，１０６は、ラッチ１００，１０６とベース６８との間及びフック付き端部１０２，１０８とフレーム７６との間に鋼帯１２のオーバーラップ端部を保持する様に配置される。ラッチ１００，１０６が解放位置へ旋回されるとき、ラッチ１００，１０６は、捕捉位置から角度的に変位され、フック付き端部１０２，１０８は、凹所７０，７２から除去され、これにより、鋼帯１２のオーバーラップ端部は、結束工具１０内に通されるか又は工具１０から除去されるかの何れかが可能である。
【００２７】
種々な変更は、本発明の範囲及び精神から逸脱することなく上述の好適実施例に実施されてもよい。
【００２８】
【発明の効果】
以上説明した様に本発明に依れば鋼帯のオーバーラップ端部を結束工具に入れて保持し、張力を付加し、パンチで打抜いて噛合い継手を加工した後該端部を解放する保持・解放機構を片手で簡単に操作できて、使い勝手がよく稼働率が高い。
【図面の簡単な説明】
【図１】パッケージのまわりに鋼帯を装着するのに使用される本発明の結束工具の部分的な斜視図である。
【図２】鋼帯を張って作動ハンドルを作動した状態の図１の結束工具の斜視図である。
【図３】１つの側部カバーと、作動ハンドルとを含む幾つかの要素が内部の詳細を示すために除去されている図１の結束工具の部分的な拡大斜視図である。
【図４】鋼帯のオーバーラップ端部を入れて保持して解放するための保持・解放機構の幾つかの要素の分解斜視図である。
【図５】鋼帯にに噛合い継手が形成された後の図４の保持・解放機構の幾つかの要素の組立て斜視図である。
【図６】図５のカム用部材の部分的な図である。
【符号の説明】
１０    結束工具
１２    鋼帯
１６    噛合い継手
１８    肩
２０    保持・解放機構
４０    作動ハンドル
５２    横軸
６８    ベース
７０    前方凹所
７２    後方凹所
７６    フレーム
８０    レバー
８８    枢軸ピン
１００    前方ラッチ
１０２    フック付き端部
１０６    後方ラッチ
１０８    フック付き端部
１２０    カム用部材
１２２    前方スロット
１２４    後方スロット
１３２    Ｕ形ポケット
【図１】
0003548611.tif 000002
【図２】
0003548611.tif 000003
【図３】
0003548611.tif 000004
【図４】
0003548611.tif 000005
【図５】
0003548611.tif 000006
【図６】
0003548611.tif 000007